(57)【要約】【課題】  収納された衛生用品の微妙な色の違いを窓部によって損なうことがなく消費者に認識させることができる包装体を提供する。【解決手段】  色を呈する衛生用品１１と、前記衛生用品１１を収納し、少なくとも一部にピンク色を呈する包装袋１２と、を備え、前記包装袋１２は、その少なくとも一面に形成された透明材１５の窓部１３を備え、前記透明材１５を通した前記衛生用品１１の色と前記衛生用品１１の前記透明材１５を通さない前記衛生用品１１の色とのＬ＊ａ＊ｂ＊表示系による色差が５．０以下となっている。前記衛生用品１１が複数の色を呈し、各色のＬ＊ａ＊ｂ＊表示系による色差が５．０以上のものを有する。【選択図】図１
2015189473.tif 000002
【特許請求の範囲】
【請求項１】
色を呈する衛生用品と、
前記衛生用品を収納し、少なくとも一部にピンク色を呈する包装袋と、
を備え、
前記包装袋は、その少なくとも一面に形成された透明材の窓部を備え、
前記透明材を通した前記衛生用品の色と前記透明材を通さない前記衛生用品の色とのＬ＊ａ＊ｂ＊表示系による色差が５．０以下となっていることを特徴とする包装体。
【請求項２】
前記ピンク色が、Ｌ＊ａ＊ｂ＊表示系において、４５≦Ｌ＊≦８０、１０≦ａ＊≦７０、−１０≦ｂ＊≦５の範囲にある色であることを特徴とする請求項１に記載の包装体。
【請求項３】
前記ピンク色が、パントーン（登録商標）色見本帳ＳＯＬＩＤ  ＣＨＩＰＳ／ｃｏａｔｅｄにおいて、１４８Ｃ〜１５１Ｃ、１４８５Ｃ〜Ｏｒａｎｇｅ  ０２１Ｃ、１５５５Ｃ〜１５８５Ｃ、１６２Ｃ〜１６５Ｃ、１６２５Ｃ〜１６５５Ｃ、１６９Ｃ〜１７２Ｃ、２４４Ｃ〜２５７Ｃ、２５６２Ｃ〜２５９２Ｃ、２５６３Ｃ〜２５９３Ｃ、７４２２Ｃ〜７４２７Ｃ、７０５Ｃ〜７１１Ｃ、４９３Ｃ〜４９６Ｃ、１７６Ｃ〜２４３Ｃ、５１４Ｃ〜５１７Ｃの値の範囲にある色であることを特徴とする請求項１に記載の包装体。
【請求項４】
前記透明材を通した前記衛生用品の色と前記包装袋の前記ピンク色とのＬ＊ａ＊ｂ＊表示系による色差が５．０以上となっていることを特徴とする請求項１ないし３のいずれか１項に記載の包装体。
【請求項５】
前記衛生用品がその内側面の色を含めて複数の色を呈し、各色のＬ＊ａ＊ｂ＊表示系による色差が５．０以上のものを有することを特徴とする請求項１ないし４のうちいずれか１項に記載の包装体。
【請求項６】
前記透明材が７５μｍ以下の厚さを有することを特徴とする請求項１ないし５のうちいずれかに記載の包装体。
【請求項７】
前記窓部が前記包装袋の複数の面に形成されていることを特徴とする請求項１ないし６のうちいずれか１項に記載の包装体。
【請求項８】
前記窓部が前記衛生用品の残量を確認できる形状をなすことを特徴とする請求項１ないし７のうちいずれか１項に記載の包装体。
【請求項９】
前記窓部が物の形状をなすことを特徴とする請求項１ないし８のうちいずれか１項に記載の包装体。
【請求項１０】
前記物の形状が前記衛生用品の形状であることを特徴とする請求項９に記載の包装体。
【発明の詳細な説明】
【技術分野】
【０００１】
本発明は包装体に関し、特に、衛生用品を収納する包装体に関する。
【背景技術】
【０００２】
この種の包装体としては、例えば、下記特許文献１に示すように、複数の生理用品等を収納し、側面に該生理用品の一部を目視できる窓を有する窓付き柔軟性パッケージバッグが知られている。また、下記特許文献２には、例えば長方体をなす紙袋の側面に透明部材が張られた孔部を設けたものの記載がある。
【０００３】
しかし、特許文献１、２は、いずれも、中に何がはいっているのかを確認するための窓あるいは切欠きを設けたものにすぎないものとなっており、特許文献２において、切欠きに張られた透明部材は、中身が出ないようにするとともに、切欠きを設けたことによる強度の低下を防ぐようにしたものである。
【０００４】
このため、該透明部材によっては、収納された衛生用品の微妙な色そのものや色の差異を認識できない場合がある。
【先行技術文献】
【特許文献】
【０００５】
【特許文献１】特開２０００−５１３３０６号公報
【特許文献２】特開平０７−１８７２００号公報
【発明の概要】
【発明が解決しようとする課題】
【０００６】
本発明は、このような事情に鑑みてなされたものであり、その目的は、収納された衛生用品の微妙な色そのものや色の差異を窓部によって損なうことがなく消費者に認識させることができる包装体を提供することにある。
【課題を解決するための手段】
【０００７】
本発明は、以下の構成によって把握される。
（１）本発明の包装体は、色を呈する衛生用品と、前記衛生用品を収納し、少なくとも一部にピンク色を呈する包装袋と、を備え、前記包装袋は、その少なくとも一面に形成された透明材の窓部を備え、前記透明材を通した前記衛生用品の色と前記透明材を通さない前記衛生用品の色とのＬ＊ａ＊ｂ＊表示系による色差が５．０以下となっていることを特徴とする。
（２）本発明の包装体は、（１）の構成において、前記ピンク色が、Ｌ＊ａ＊ｂ＊表示系において、４５≦Ｌ＊≦８０、１０≦ａ＊≦７０、−１０≦ｂ＊≦５の範囲にある色であることを特徴とする。
（３）本発明の包装体は、（１）の構成において、前記ピンク色が、パントーン（登録商標）色見本帳ＳＯＬＩＤ  ＣＨＩＰＳ／ｃｏａｔｅｄにおいて、１４８Ｃ〜１５１Ｃ、１４８５Ｃ〜Ｏｒａｎｇｅ  ０２１Ｃ、１５５５Ｃ〜１５８５Ｃ、１６２Ｃ〜１６５Ｃ、１６２５Ｃ〜１６５５Ｃ、１６９Ｃ〜１７２Ｃ、２４４Ｃ〜２５７Ｃ、２５６２Ｃ〜２５９２Ｃ、２５６３Ｃ〜２５９３Ｃ、７４２２Ｃ〜７４２７Ｃ、７０５Ｃ〜７１１Ｃ、４９３Ｃ〜４９６Ｃ、１７６Ｃ〜２４３Ｃ、５１４Ｃ〜５１７Ｃの値の範囲にある色であることを特徴とする。
（４）本発明の包装体は、（１）ないし（３）のいずれかの構成において、前記透明材を通した前記衛生用品の色と前記包装袋の前記ピンク色とのＬ＊ａ＊ｂ＊表示系による色差が５．０以上となっていることを特徴とする。
（５）本発明の包装体は、（１）ないし（４）のいずれかの構成において、前記衛生用品がその内側面の色を含めて複数の色を呈し、各色のＬ＊ａ＊ｂ＊表示系による色差が５．０以上のものを有することを特徴とする。
（６）本発明の包装体は、（１）ないし（５）のいずれかの構成において、前記透明材が７５μｍ以下の厚さを有することを特徴とする。
（７）本発明の包装体は、（１）ないし（６）のいずれかの構成において、前記窓部が前記包装袋の複数の面に形成されていることを特徴とする。
（８）本発明の包装体は、（１）ないし（７）のいずれかの構成において、前記窓部が、その外枠において、前記衛生用品の残量を確認できる形状をなすことを特徴とする。
（９）本発明の包装体は、（１）ないし（８）のいずれかの構成において、前記窓部が物の形状をなすことを特徴とする。
（１０）本発明の包装体は、（９）の構成において、前記物の形状が前記衛生用品の形状であることを特徴とする。
【発明の効果】
【０００８】
このように構成した包装体によれば、それに収納された衛生用品の微妙な色そのものや色の差異を窓部によって損なうことがなく消費者に認識させることができるようになる。
【図面の簡単な説明】
【０００９】
【図１】（ａ）は、本発明の包装体の実施形態１を示す斜視図、（ｂ）は、（ａ）のｂ−ｂ線における断面図である。
【図２】図１（ａ）に示した包装体の一部を破断した斜視図である。
【図３】本発明の包装体の実施形態２を示す斜視図である。
【図４】本発明の包装体の実施形態３を示す斜視図である。
【図５】本発明の包装体の実施形態４を示す斜視図である。
【図６】本発明の包装体の実施形態５を示す斜視図である。
【図７】本発明の包装体の実施形態５の他の例を示す斜視図である。
【図８】衛生用品の各部位（イないしホ）を示す図で、（ａ）は広げた状態を、（ｂ）は折り畳んだ状態を、（ｃ）は（ｂ）の状態を側面側から観た図である。
【図９】本発明に適用される衛生用品の比較対象となる白色を基調とした従来のおむつを示した図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
【００１１】
（実施形態１）
図１（ａ）は、本発明の包装体の実施形態１を示す斜視図である。図１（ａ）において、本発明の包装体１０は、色を呈する衛生用品１１（図２参照）と、衛生用品１１を収納し一部に窓部１３Ａを有する包装袋１２と、を備えて構成されている。
【００１２】
図１（ａ）に示す包装袋１２は、例えば、ＰＥＴ（Ｐｏｌｙｅｔｈｙｌｅｎｅ  ｔｅｒｅｐｈｔｈａｌａｔｅ）、ＰＰ（Ｐｏｌｙｐｒｏｐｙｌｅｎｅ）、ＰＳ（Ｐｏｌｙｓｔｙｒｅｎｅ）等の柔らかな樹脂材によって形成され、例えば、角に丸みを有する長方体をなしている。包装袋１２には、その一部を破断した図２に示すように、複数の衛生用品１１が例えば横方向に並列されて収納されている。衛生用品１１は、例えば、使い捨て吸収パンツ、おむつ、ライナー、おりものケアシート、生理用品、失禁用品等からなり、折り畳まれて包装袋１２に収納されるようになっている。これら衛生用品１１は、色、例えば、ピンク色を主とする色がその明るさ等を異ならしめて複数呈され、視覚的に興味を起こさせるような作りになっている。衛生用品１１の外側あるいは内側に施される色は、いわゆるグラデーションと称されるように濃淡等が変化する着色であってもよい。また、包装袋１２は窓部１３Ａ以外の部分の表面において、ピンク色を主とする色が施されている。この場合に施される色の割合としては、包装袋１２の全表面積に対して５０%以上、好ましくは８０％以上となっている。なお、包装袋１２の表面に施されるピンク色もグラデーションと称されるように濃淡が変化する着色であってもよい。さらに、包装袋１２の表面には、装飾または模様、商品名、内容物の説明等の印刷が施されている（図示せず）。
【００１３】
この場合、各ピンク色は、Ｌ＊ａ＊ｂ＊表示系において、４５≦Ｌ＊≦８０、１０≦ａ＊≦７０、−１０≦ｂ＊≦５の範囲にある色となっている。ここで、Ｌ＊ａ＊ｂ＊表示系とは、色を見たときに、同じ色違いに見える色同士の距離（心理的な距離感）を均等にしてある色立体（色空間）をいい、互いに直交するＬ＊軸、ａ＊軸、ｂ＊軸を有する。Ｌ＊軸は明るさを、ａ＊軸は緑〜赤を、ｂ＊軸は青〜黄を示すようになっている。
【００１４】
表１は、包装袋１２の窓部１３Ａ以外の表面に施された色であって、色合いが濃いピンク色からくすんだピンク色までのＬ＊ａ＊ｂ＊表示系におけるＬ＊の値の範囲、ａ＊の値の範囲、ｂ＊の値の範囲を示したものであり、これらの値から、該ピンク色は、４５≦Ｌ＊≦８５、１０≦ａ＊≦７０、−１０≦ｂ＊≦５の範囲にある色とすることが好ましく、５０≦Ｌ＊≦７５、３０≦ａ＊≦７０、−１０≦ｂ＊≦５の範囲にある色とすることがより好ましい。この範囲とすることにより、包装袋１２の表面に施された色は、ぼやけたりせず適度なコントラストとなり、消費者は瞬時に商品を選択する場合において、包装体１０の識別ができる色合いとなる。
【００１５】
【表１】
2015189473.tif 000003
【００１６】
表２は、包装袋１２の下に衛生用品１１を配置し、窓部１３Ａ以外の位置で測定した色であって、色合いが濃いピンク色から薄いピンク色までのＬ＊ａ＊ｂ＊表示系におけるＬ＊の値の範囲、ａ＊の値の範囲、ｂ＊の値の範囲を示したものであり、これらの値から、該ピンク色は、５０≦Ｌ＊≦７５、３０≦ａ＊≦７０、−５≦ｂ＊≦１０の範囲にある色とすることが好ましい。
【００１７】
【表２】
2015189473.tif 000004
【００１８】
このように、包装袋１２の表面に施された色及び包装袋１２の下に衛生用品１１を配置し、窓部１３Ａ以外の位置で測定した色を上述の範囲に設定することにより、衛生用品１１の材質の柔らかさ、色合いの優しさ及び風合い等の品質の良さを消費者に認識させるばかりか、包装袋１２の色とのコントランスで瞬時に衛生用品１１の上述した特質を把握できることとなり、包装袋１２の外観と衛生用品１１との統一感が取れる、という効果を奏する。
【００１９】
ここで、ピンク色は、必ずしもＬ＊ａ＊ｂ＊表示系の上述した範囲で設定する必要はなく、例えば、パントーン（登録商標）色見本帳（ＳＯＬＩＤ  ＣＨＩＰＳ／ｃｏａｔｅｄ:商品名）において、１４８Ｃ〜１５１Ｃ、１４８５Ｃ〜Ｏｒａｎｇｅ  ０２１Ｃ、１５５５Ｃ〜１５８５Ｃ、１６２Ｃ〜１６５Ｃ、１６２５Ｃ〜１６５５Ｃ、１６９Ｃ〜１７２Ｃ、２４４Ｃ〜２５７Ｃ、２５６２Ｃ〜２５９２Ｃ、２５６３Ｃ〜２５９３Ｃ、７４２２Ｃ〜７４２７Ｃ、７０５Ｃ〜７１１Ｃ、４９３Ｃ〜４９６Ｃ、１７６Ｃ〜２４３Ｃ、５１４Ｃ〜５１７Ｃの値の範囲で設定するようにしてもよい。ここで、パントーン（登録商標）色見本帳（ＳＯＬＩＤ  ＣＨＩＰＳ／ｃｏａｔｅｄ）において、例えば、１４８Ｃ〜１５１Ｃとは、１４８Ｃ、１４９Ｃ、１５０Ｃ、１５１Ｃと該色見本帳に収録されている順番で指定されるものである。具体的な例としては、１７６Ｃ、１７７Ｃ、１７８Ｃ、１７６５Ｃ、１７７５Ｃ、１７８５Ｃ、１７６７Ｃ、１７７７Ｃ、１７８７Ｃ、１８２Ｃ、１８３Ｃ、１８４Ｃ、１８５Ｃ、１８９Ｃ、１９０Ｃ、１９１Ｃ、１９２Ｃ、１８９５Ｃ、１９０５Ｃ、１９１５Ｃ、１９２５Ｃ、１９６Ｃ、１９７Ｃ、１９８Ｃ、２０３Ｃ、２０４Ｃ、２０５Ｃ、２１０Ｃ、２１１Ｃ、２１２Ｃ、２１３Ｃ、２１４Ｃ、２１７Ｃ、２１８Ｃ、２１９Ｃ、２２３Ｃ、２２４Ｃ、２２５Ｃ、２２６Ｃ、２２７Ｃ、２２８Ｃ、２３０Ｃ、２３１Ｃ、２３２Ｃ、２３３Ｃ、２３４Ｃ、２３５Ｃ、２３６Ｃ、２３７Ｃ、２３８Ｃ、２３９Ｃ、２４０Ｃ、２４１Ｃ、２５２Ｃ、２３６５Ｃ〜２４２５Ｃ、４９３Ｃ〜４９６Ｃ、２４３Ｃ〜２４９Ｃ、５１４Ｃ〜５１７Ｃ、７０５Ｃ〜７０８Ｃ、７４２２Ｃの値のピンク色を設定することが好ましい。
【００２０】
図１（ａ）に戻り、包装袋１２の一面である側面には、上述したように、中身を確認できるような窓部１３Ａが形成されている。窓部１３Ａは、衛生用品１１を確認するためにあり、例えば、図１（ａ）のｂ−ｂ線における断面図である図１（ｂ）に示すように、着色された透明材（着色部を符号１３Ｘで示す）からなる包装袋１２の一部に該透明材を露出させることによって形成されるようになっている。ここで、窓部１３Ａの厚さは、包装袋１２の厚さに相当し、７５μｍ以下となっている。窓部１３Ａをこのような厚さにしたのは、より現物の商品を明確に表現するため、また、消費者にアピールするため、その透明度を充分に確保するためである。また、窓部１３Ａの構成は、これに限定されることはなく、例えば、包装袋１２の表面の一部に孔部を形成し、包装袋１２の裏面に該孔部を被うようにして透明フィルム（透明材）を貼付するようにして形成するようにしてもよい。この場合の透明フィルムは、例えば樹脂からなり、その厚さは７５μｍ以下とする。
【００２１】
なお、包装袋１２は、窓部１３Ａが形成された面と異なる例えば上面において、衛生用品１１を収納するための収納口１４を有し、該収納口１４は、衛生用品１１の収納後において封止させた状態となっている。
【００２２】
そして、このように構成される包装体１０において、窓部（透明フィルム）１３Ａの例えば材料等の選定によって、該窓部１３Ａを通した衛生用品１１の色と該窓部１３Ａを通さない衛生用品１１の色とのＬ＊ａ＊ｂ＊表示系による色差が５．０以下となっている。このようにした場合、少なくとも一部にピンク色を呈し、その少なくとも一面に形成された透明材の窓部を備えた包装袋１２に収納された衛生用品１１の微妙な色の違いを窓部１３Ａによって損なうことなく消費者に認識させることができるようになる。
【００２３】
表４は、衛生用品１１として、図８（ａ）に示すように使い捨ておむつ１１Ａの場合を例にとり、該使い捨ておむつ１１Ａの広げた状態の各部位（イないしホ）において、窓部１３Ａを通さない各部位のＬ＊ａ＊ｂ＊表示系によるＬ＊、ａ＊、ｂ＊（表中（Ａ）で示す）、窓部１３Ａを通した各部位のＬ＊ａ＊ｂ＊表示系によるＬ＊、ａ＊、ｂ＊（表中（Ｂ）で示す）、これら各部位におけるＬ＊、ａ＊、ｂ＊の差ΔＬ、Δａ、Δｂ（表中（Ａ）−（Ｂ）で示す）及び色差ΔＥを示した表である。図８（ｂ）は、上述したおむつ１１Ａを包装袋１２に収納する際の折り畳んだ状態を示す図であり、図８（ｃ）は、折り畳んだ状態の使い捨ておむつ１１Ａを側面側から観た図である。包装袋１２に収納された使い捨ておむつ１１Ａは窓部１３Ａを通して図８（ｃ）の状態で中身の内容物を目視でき、この場合において該使い捨ておむつ１１Ａの各部位（イないしホ）が目視されるようになっている。ここで、使い捨ておむつ１１Ａにおいて、部位イは不織布と糸ゴムとからなり、部位イは胴部であり不織布からなり、部位ハは異なる不織布の重なり部であり、部位ニは外側と内側で異なる不織布とその間に挟まれた吸収体からなり、部位ホはその内側を指す。なお、図９は、比較例として、各部位において紙（吸収体）からなる白色の使い捨ておむつ１１Ｂを示している。図中、各部位をイ’、ロ’、ハ’、ニ’、ホ’で示し、これら部位は、図８（ａ）の使い捨ておむつ１１Ａの各部位にイ、ロ、ハ、ニ、ホに対応している。表３では、該使い捨ておむつ１１Ｂにおいても上述と同様な実験結果を示している。
【００２４】
【表３】
2015189473.tif 000005
【００２５】
ここで、色差ΔＥは、次式（１）で表わされる。
ΔＥ＝[（ΔＬ）２＋（Δａ）２＋（Δｂ）２]１／２……（１）
【００２６】
この表３に示すように、各部位（イないしホ）において表中の色差ΔＥが得られることにより、収納された衛生用品１１の微妙な色の違いを窓部１３Ａによって損なうことなく消費者に認識させることが確認される。
【００２７】
これにより、表３から明らかなように、色差ΔＥが最も大きくなるのは部位（ロ）であり、その値は２．７２である。このため、窓部１３Ａを通した衛生用品１１の色と該窓部１３Ａを通さない衛生用品１１の色とのＬ＊ａ＊ｂ＊表示系による色差ΔＥが５．０以下とすることによって、収納された衛生用品１１の微妙な色の違いを窓部１３によって損なうことなく消費者に認識させることができるようになる。
【００２８】
また、表４は、衛生用品１１のオムツ１１Ａの各部（イないしホ）のうち選択された２つの部位の色差ΔＥを示した表である。
【００２９】
【表４】
2015189473.tif 000006
【００３０】
表４に示すように、その内側面の色を含めた複数の色を呈する衛生用品１１は、各色のＬ＊ａ＊ｂ＊表示系による色差が５．０以上のものを有し、このような衛生用品１１に対し、窓部Ａ１３によって微妙な色の違いを損なうことがなく消費者に認識させることができるようになる。また、同様の趣旨から、窓部１３Ａを通した衛生用品１１の色と包装袋１２のピンク色とのＬ＊ａ＊ｂ＊表示系による色差が５．０以上となっている。
【００３１】
本発明の包装体１０における衛生用品１１の視認容易性について、パネラー７名による官能評価を行った。実施例としては、上述のＬ＊ａ＊ｂ＊表示系による色を測定した使い捨ておむつ１１Ａを包装した包装体１０を用いた。比較例としては、実施例の窓部１３Ａにポリエチレンフィルムを６枚重ね、透明材を通した使い捨ておむつ１１Ａの色と透明材を通さない使い捨ておむつ１１Ａの色とのＬ＊ａ＊ｂ＊表示系による色差が５．０を超えた包装体１０を用いた。実施例と比較例のどちらが衛生用品１１の視認容易性に優れているか、パネラー７名による官能評価試験で評価した。得られた結果を表５に示す。
【００３２】
【表５】
2015189473.tif 000007
【００３３】
表５から明らかなように、透明材を通した衛生用品の色と透明材を通さない衛生用品の色とのＬ＊ａ＊ｂ＊表示系による色差が５．０以下である実施例の包装体が、使い捨ておむつ１１Ａを取出した際に、微妙な色の違いを損なうことがなく、認識させることができていた。
【００３４】
（実施形態２）
実施形態１では、窓部１３Ａは包装袋の一面（例えば正面）に形成するようにしたものである。しかし、これに限定されることはなく、例えば図３に示すように、他の面にも形成するようにしてもよい。
【００３５】
図３は、包装袋１２の上面に窓部１３Ｂを、さらに側面に窓部１３Ｃを形成するようにしたものである。このようにした場合、各窓部１３Ｂ、１３Ｃを通して認識される衛生用品１１は、様々な方向から様々なパーツを認識し易くできるとともに、それに施される各色および模様等も衛生用品１１の収納状態で認識し易くなる。この場合、図３に示すように、包装袋１２の正面に、衛生用品の外観図１５を人間が被着した状態で表わし、この部分も窓部とすることによって、衛生用品１１の装着イメージを直感的に理解できる効果を奏する。
【００３６】
この場合において、各窓部１３Ａ、１３Ｂ、１３Ｃのいずれかあるいは全てに、その外枠を物（例えば、花、乗り物等）の形状をなすようにしてもよい。さらに、各窓部１３Ａ、１３Ｂ、１３Ｃのいずれかあるいは全てに、その外枠において、収納される衛生用品（例えばおむつ等）の形状をなすようにしてもよい。
【００３７】
そして、この実施形態２においても、窓部１３Ｂ、１３Ｃを通した衛生用品１１の色と窓部１３Ｂ、１３Ｃを通さない衛生用品１１の色とのＬ＊ａ＊ｂ＊表示系による色差が５．０以下となっていることはもちろんである。また、衛生用品１１が複数の色を呈し、各色のＬ＊ａ＊ｂ＊表示系による色差が５．０以上のものを有するようになっている。また、同様の趣旨から、窓部１３Ｆ、１３Ｓを通した衛生用品の色と包装袋１２のピンク色とのＬ＊ａ＊ｂ＊表示系による色差が５．０以上となっている。
【００３８】
（実施形態３）
上述した実施形態では、包装袋１２の一面に形成される窓部１３Ａ〜１３Ｃは収納された衛生用品１１の一部分しか目視できないようになっているが、これに限定されることはなく、例えば図４に示すように、衛生用品１１のほぼ全部を目視できるようにしてもよいことはいうまでもない。
【００３９】
すなわち、図４に示すように、窓部１３を、包装袋１２の一面に縦方向に延在する窓部１３Ｄと横方向に延在する窓部１３Ｅを連結させるようにして形成してもよい。このようにした場合、窓部１３Ｄによって衛生用品１１の側面のほぼ全部を目視でき、窓部１３Ｅによって複数に並設された衛生用品１１の残量を確認することができるようになる。
【００４０】
そして、この実施形態３においても、窓部１３Ｄ、１３Ｅを通した衛生用品１１の色と窓部１３Ｄ、１３Ｅを通さない衛生用品１１の色とのＬ＊ａ＊ｂ＊表示系による色差が５．０以下となっていることはもちろんである。また、衛生用品１１が複数の色を呈し、各色のＬ＊ａ＊ｂ＊表示系による色差が５．０以上のものを有するようになっている。また、同様の趣旨から、窓部１３Ｄ、１３Ｅを通した衛生用品の色と包装袋１２のピンク色とのＬ＊ａ＊ｂ＊表示系による色差が５．０以上となっている。
【００４１】
（実施形態４）
上述した実施形態では、横方向に並設された複数の衛生用品１１を収納する包装袋１２について説明したものであるが、これに限定されることはなく、図５に示すように、衛生用品１１を縦方向に並設させて収納できる包装袋１２であってもよいことはいうまでもない。この場合、包装袋１２に形成する窓部１３として、包装袋１２の一面の下段に窓部１３Ｆを形成し、他面の上段に窓部１３Ｇを形成するようにしてもよい。
【００４２】
このようにした場合、包装袋１２の強度を低減させることなく、収納された衛生用品１１の残量を確認することができるようになる。
【００４３】
そして、この実施形態４においても、窓部１３Ｆ、１３Ｇを通した衛生用品１１の色と窓部１３Ｆ、１３Ｇを通さない衛生用品１１の色とのＬ＊ａ＊ｂ＊表示系による色差が５．０以下となっていることはもちろんである。また、衛生用品１１が複数の色を呈し、各色のＬ＊ａ＊ｂ＊表示系による色差が５．０以上のものを有するようになっている。また、同様の趣旨から、窓部１３Ｆ、１３Ｇを通した衛生用品の色と包装袋１２のピンク色とのＬ＊ａ＊ｂ＊表示系による色差が５．０以上となっている。
【００４４】
（実施形態５）
また、図６（ａ）、（ｂ）において、図６（ａ）は包装袋１２を正面から観た図で、図６（ｂ）は同じ包装袋を裏面から観た図を示している。包装袋１２の正面には、窓部１３Ｈとともに、収納された衛生用品の外観図１６が前向きの人間が被着した状態で表わされている。また、包装袋１２の裏面には、窓部１３Ｉとともに、収納された衛生用品の外観図１７が後向きの人間が被着した状態で表わされている。
【００４５】
このようにした場合、収納されている衛生用品を窓部１３Ｈ、１３Ｉを通して前後から目視でき、外観図１６、１７によって衛生用品の被着した状態を前後から観察することができるようになる。このため、各窓部を通して認識される衛生用品１１は、様々な方向から様々なパーツを認識し易くできるとともに、それに施される各色および模様等も衛生用品１１の収納状態で認識し易くなる。この場合、包装袋１２の正面に、衛生用品の外観図１６を前向きの人間が被着した状態で表わし、包装袋１２の裏面に、衛生用品の外観図１７を後向きの同じ人間が被着した状態で表わし、これらの部分を窓部とすることによって、衛生用品１１の装着イメージを直感的に理解できる効果を奏する。
【００４６】
さらに、同様の趣旨から、図７（ａ）、（ｂ）に示すように、衛生用品１１を縦方向に並設させて収納できる包装袋１２であってもよいことはいうまでもない。図７（ａ）は包装袋１２を正面から観た図で、図７（ｂ）は同じ包装袋を裏面から観た図を示している。図７（ａ）、（ｂ）においても、包装袋１２の窓部１３Ｈ、１３Ｉ及び外観図１６、１７は、図６（ａ）、（ｂ）に示したと同様に形成されている。また、窓部１３Ｈ、１３Ｉは、略円形状となっている。
【００４７】
そして、この実施形態５においても、窓部１３Ｈ、１３Ｉを通した衛生用品１１の色と窓部１３Ｈ、１３Ｉを通さない衛生用品１１の色とのＬ＊ａ＊ｂ＊表示系による色差が５．０以下となっていることはもちろんである。また、衛生用品１１が複数の色を呈し、各色のＬ＊ａ＊ｂ＊表示系による色差が５．０以上のものを有するようになっている。また、窓部１３Ｈ、１３Ｉを通した衛生用品の色と包装袋１２のピンク色とのＬ＊ａ＊ｂ＊表示系による色差が５．０以上となっている。
【００４８】
（実施形態６）
上述した包装体は、樹脂材によって形成され、その一部に透光性の窓部を有するようにしたものである。しかし、これに限定されることはなく、例えば、紙箱あるいは紙袋からなる包装体の一部を切り欠いた部分を含めてフィルムで被うことによって窓部を形成したもの、紙箱あるいは紙袋の一部にフィルムを蒸着して窓部を形成したもの、紙箱あるいは紙袋の一部を切り欠いた部分の裏側からフィルムを被うことによって窓部を形成したもの等であっても同様に適用できることはもちろんである。また、包装体としての紙箱あるいは紙袋は、コートボール紙を用いるようにしてもよい。
【００４９】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００５０】
１０                    包装体
１１                    衛生用品
１１Ａ、１１Ｂ          使い捨ておむつ
１２                    包装袋
１３、１３Ａ〜１３Ｉ    窓部
１４                    収納口
１５                    衛生用品の外観図
【図１】
2015189473.tif 000008
【図２】
2015189473.tif 000009
【図３】
2015189473.tif 000010
【図４】
2015189473.tif 000011
【図５】
2015189473.tif 000012
【図６】
2015189473.tif 000013
【図７】
2015189473.tif 000014
【図８】
2015189473.tif 000015
【図９】
2015189473.tif 000016